(57)【要約】      （修正有）【課題】育苗箱の持ち上げ、運搬作業における作業者への負担を軽減し、容易に育苗箱を持ち上げたり運搬したりすることができる育苗箱持ち上げ具を提供する。【解決手段】基端部に握持部１を設け先端部に育苗箱２の縁部３裏面に引っ掛け係止する二つの爪部４を設けた第一持ち上げ棒体５と、基端部に握持部６を設け先端部に育苗箱２の縁部３裏面に引っ掛け係止する一つの爪部７を設けた第二持ち上げ棒体８とからなり、この第一持ち上げ棒体５及び第二持ち上げ棒体８は、少なくとも立直状態の作業者の膝の高さ以上となる長さを有し、第一持ち上げ棒体５の先端部に二つの爪部４を離間状態に設け、第二持ち上げ棒体８の先端部に、第一持ち上げ棒体５の先端部に離間状態に設けた二つの爪部４の間隔よりも狭い幅に設定した一つの爪部７を設けた育苗箱持ち上げ具。【選択図】図６
0003160619.tif 000002
【実用新案登録請求の範囲】
【請求項１】
基端部に握持部を設け先端部に育苗箱の縁部裏面に引っ掛け係止する二つの爪部を設けた第一持ち上げ棒体と、基端部に握持部を設け先端部に前記育苗箱の縁部裏面に引っ掛け係止する一つの爪部を設けた第二持ち上げ棒体とからなる育苗箱持ち上げ具であって、この第一持ち上げ棒体及び第二持ち上げ棒体は、少なくとも立直状態の作業者の膝の高さ以上となる長さを有し、前記第一持ち上げ棒体の先端部に前記二つの爪部を離間状態に設け、前記第二持ち上げ棒体の先端部に、前記第一持ち上げ棒体の先端部に離間状態に設けた前記二つの爪部の間隔よりも狭い幅に設定した前記一つの爪部を設けて、前記育苗箱の対向する縁部の一方に、前記第一持ち上げ棒体の二つの爪部を引っ掛け係止し、対向する縁部の他方の前記第一持ち上げ棒体の爪部間と対向する位置に、前記第二持ち上げ棒体の一つの爪部を引っ掛け係止して、前記育苗箱を前記第一持ち上げ棒体に設けた二つの爪部と前記第二持ち上げ棒体に設けた一つの爪部との三点支持で持ち上げるように構成したことを特徴とする育苗箱持ち上げ具。
【請求項２】
前記第一持ち上げ棒体の握持部と前記第二持ち上げ棒体の握持部は、上端部に前記第一持ち上げ棒体に設けた前記爪部及び前記第二持ち上げ棒体に設けた前記爪部の長手方向と直交する方向に長さを有する握持杆を設けたことを特徴とする請求項１記載の育苗箱持ち上げ具。
【請求項３】
前記第一持ち上げ棒体の爪部及び前記第二持ち上げ棒体の爪部の幅を、前記育苗箱の縁部裏面側に複数並設されている補強リブの並設間隔よりも狭い幅に設定したことを特徴とする請求項１，２のいずれか１項に記載の育苗箱持ち上げ具。
【請求項４】
前記第一持ち上げ棒体は、金属製の棒状体の基端部に前記握持部を設け、先端部に二股部を設け、この二股部の各先端部に前記爪部を設けたことを特徴とする請求項１〜３のいずれか１項に記載の育苗箱持ち上げ具。
【請求項５】
前記第一持ち上げ棒体の先端部に設けた前記二つの爪部の離間間隔を、前記育苗箱の短手方向幅寸法の１／４以上に設定したことを特徴とする請求項１〜４のいずれか１項に記載の育苗箱持ち上げ具。
【考案の詳細な説明】
【技術分野】
【０００１】
本考案は、作業者が腰を大きく屈ませたり、しゃがんだりしなくとも、地面や床面に置いてある育苗箱を持ち上げることができる育苗箱持ち上げ具に関するものである。
【背景技術】
【０００２】
従来、地面や床面に置いてある育苗箱を持ち上げて運搬する際は、この育苗箱の対向する縁部を両手で掴んで（縁部に指先を引っ掛けて）、育苗箱を持ち上げていた。
【０００３】
即ち、作業者自身の手で持ち上げる際は、図９に示すように、作業者は腰を大きく屈ませたり、しゃがんだりした状態で育苗箱の両端を掴んで持ち上げる動作を行っていた。
【０００４】
この腰を大きく屈ませたり、しゃがんだりする状態と、育苗箱を持ち運ぶために起き上がったり、立ち上がったりする動作を繰り返すことは、作業者の足や腰などに非常に大きな負担を掛ける動作であり、このような動作を伴う育苗箱の持ち上げ、運搬作業の際の作業負担を軽減するため、例えば、特開２０００−０５０７３７号公報や特開２００１−００８５５４号公報に示すような育苗箱持ち上げ具が提案されている。
【０００５】
しかしながら、この特開２０００−０５０７３７号公報に示される育苗箱運搬用保持具は、育苗箱を片持状態で持ち上げる構成であるため、握力や腕力の無い人にとっては腕に負担が掛かるものであり、また、特開２００１−００８５５４号公報に示される苗箱持ち上げ具は、苗箱の一側部を持ち上げた状態で引きずり移動させるものであり、作業者への負担を軽減し容易に育苗箱を持ち上げるものとして適した構成のものではなかった。
【先行技術文献】
【特許文献】
【０００６】
【特許文献１】特開２０００−０５０７３７号公報
【特許文献２】特開２００１−００８５５４号公報
【考案の概要】
【考案が解決しようとする課題】
【０００７】
そこで、本考案は、上述した従来の育苗箱持ち上げ具に係る問題点を解決し、育苗箱の持ち上げ、運搬作業における作業者への負担を軽減し、容易に育苗箱を持ち上げたり運搬したりすることができる育苗箱持ち上げ具を提案することを目的とする。
【課題を解決するための手段】
【０００８】
添付図面を参照して本考案の要旨を説明する。
【０００９】
基端部に握持部１を設け先端部に育苗箱２の縁部３裏面に引っ掛け係止する二つの爪部４を設けた第一持ち上げ棒体５と、基端部に握持部６を設け先端部に前記育苗箱２の縁部３裏面に引っ掛け係止する一つの爪部７を設けた第二持ち上げ棒体８とからなる育苗箱持ち上げ具であって、この第一持ち上げ棒体５及び第二持ち上げ棒体８は、少なくとも立直状態の作業者の膝の高さ以上となる長さを有し、前記第一持ち上げ棒体５の先端部に前記二つの爪部４を離間状態に設け、前記第二持ち上げ棒体８の先端部に、前記第一持ち上げ棒体５の先端部に離間状態に設けた前記二つの爪部４の間隔よりも狭い幅に設定した前記一つの爪部７を設けて、前記育苗箱２の対向する縁部３の一方に、前記第一持ち上げ棒体５の二つの爪部４を引っ掛け係止し、対向する縁部３の他方の前記第一持ち上げ棒体５の爪部４間と対向する位置に、前記第二持ち上げ棒体８の一つの爪部７を引っ掛け係止して、前記育苗箱２を前記第一持ち上げ棒体５に設けた二つの爪部４と前記第二持ち上げ棒体８に設けた一つの爪部７との三点支持で持ち上げるように構成したことを特徴とする育苗箱持ち上げ具に係るものである。
【００１０】
また、前記第一持ち上げ棒体５の握持部１と前記第二持ち上げ棒体８の握持部６は、上端部に前記第一持ち上げ棒体５に設けた前記爪部４及び前記第二持ち上げ棒体８に設けた前記爪部７の長手方向と直交する方向に長さを有する握持杆を設けたことを特徴とする請求項１記載の育苗箱持ち上げ具に係るものである。
【００１１】
また、前記第一持ち上げ棒体５の爪部４及び前記第二持ち上げ棒体８の爪部７の幅を、前記育苗箱２の縁部３裏面側に複数並設されている補強リブ９の並設間隔よりも狭い幅に設定したことを特徴とする請求項１，２のいずれか１項に記載の育苗箱持ち上げ具に係るものである。
【００１２】
また、前記第一持上げ棒体５は、金属製の棒状体10の基端部に前記握持部１を設け、先端部に二股部11を設け、この二股部11の各先端部に前記爪部４を設けたことを特徴とする請求項１〜３のいずれか１項に記載の育苗箱持ち上げ具に係るものである。
【００１３】
また、前記第一持ち上げ棒体５の先端部に設けた前記二つの爪部４の離間間隔を、前記育苗箱２の短手方向幅寸法の１／４以上に設定したことを特徴とする請求項１〜４のいずれか１項に記載の育苗箱持ち上げ具に係るものである。
【考案の効果】
【００１４】
本考案は上述のように構成したから、例えば、地面や床面に置いてある育苗箱を持ち上げて移動させる際に、従来のように作業者が一々腰を大きく（深く）屈ませたり、しゃがんだりして作業者自身の手で育苗箱の縁部を掴んで持ち上げなくても、例えば、少しだけ腰を屈ませる程度で、育苗箱に第一持ち上げ棒体と第二持ち上げ棒体とを夫々対向する縁部に引っ掛けりことができ、この状態で育苗箱を上方に引き上げるだけの極めて容易な動作で育苗箱を持ち上げ運搬することができるので、従来負担となっていた腰を大きく屈ませたり、しゃがんだりする動作が不要となり作業者の足腰への負担が殆ど掛からなくなったので、作業者は足腰に負担を感じることなく効率良く作業を行うことができる。
【００１５】
また、第一持ち上げ棒体に設けた二つの爪部を離間状態に設けたことで、例えば、育苗箱の短手側縁部に引っ掛け係止した際には、この二本の爪部が距離を置いて支持することで育苗箱の前後方向への回転を防止し、育苗箱を水平状態に安定して持ち上げ運搬することができる。
【００１６】
また、請求項２記載の考案においては、育苗箱の対向する縁部、例えば、左右の短手側縁部の夫々に第一持ち上げ棒体の爪部と第二持ち上げ棒体の爪部を引っ掛けた際に、第一持ち上げ棒体、第二持ち上げ棒体の夫々の握持部が作業者に対して垂直方向に向くので、作業者が握持部を掴みやすく育苗箱を持ち上げる際に手首や腕などに余計な負担が掛からず容易に持ち上げることができる。
【００１７】
更に、例えば、育苗箱の一方の縁部に、第一持ち上げ棒体若しくは第二持ち上げ棒体を引っ掛けてこの育苗箱を引きずらせて移動させる場合には、握持部の握持杆が作業者に対して並行になり、握持杆を握らなくても、上方若しくは下方のいずれかから指を引っ掛けた状態で容易に育苗箱を移動させることができるので、握力が小さい女性などでも容易に使用することができる実用性に優れた育苗箱持ち上げ具となる。
【００１８】
また、請求項３記載の考案においては、爪部が補強リブと干渉せずに、育苗箱の縁部裏面の補強リブと補強リブの間に確実に引っ掛け係止することができ、運搬中に育苗箱から爪部が外れてしまうことが無いので、育苗箱を安定して持ち上げ運搬することができる実用性に優れた育苗箱持ち上げ具となる。
【００１９】
また、請求項４記載の考案においては、極めて簡易な構成となり、設計実現容易で且つ安価に製造可能な生産性に優れた育苗箱持ち上げ具となる。
【００２０】
また、請求項５記載の考案においては、育苗箱を持ち上げたり運搬している最中に、この育苗箱が引っ繰り返ることがなく、安定して水平状態を保って持ち上げたり運搬したりすることができる実用性に優れた育苗箱持ち上げ具となる。
【図面の簡単な説明】
【００２１】
【図１】本実施例を示す斜視図である。
【図２】本実施例の第一持ち上げ棒体に設けた爪部を示す説明斜視図である。
【図３】本実施例の使用状態を示す説明斜視図である。
【図４】本実施例の爪部を育苗箱の縁部に引っ掛けた状態を示す説明断面図である。
【図５】本実施例の爪部を育苗箱の縁部に引っ掛けた状態を示す説明底面図である。
【図６】本実施例の使用状態を示す説明図である。
【図７】本実施例の使用状態を示す説明図である。
【図８】本実施例の使用状態を示す説明図である。
【図９】従来例を示す説明図である。
【考案を実施するための形態】
【００２２】
好適と考える本考案の実施形態を、図面に基づいて本考案の作用を示して簡単に説明する。
【００２３】
第一持ち上げ棒体５の握持部１を握り、この第一持ち上げ棒体５の先端部に設けた二つの爪部４を、例えば、育苗箱２の左右に対向する短手側縁部３の一方に裏面側から引っ掛け、第二持ち上げ棒体８の握持部６を握り、この第二持ち上げ棒体８の先端部に設けた爪部７を、他方の短手側縁部３の裏面側から引っ掛けて、育苗箱２を三点支持で持ち上げることができる。
【００２４】
即ち、第一持上げ棒体５と第二持上げ棒体８は、少なくとも立直状態の作業者の膝の高さ以上となる長さを有し、例えば、この長さを作業者が腰を大きく屈ませなくても育苗箱２に引っ掛けることができる長さに設定することで、作業者は、第一持上げ棒体５の爪部４と、第二持上げ棒体８の爪部７を、腰を大きく屈ませたり、しゃがんだりしなくても容易に育苗箱２の縁部３に引っ掛けることができることとなる。
【００２５】
また、第一持ち上げ棒体５の先端部に設けた二つの爪部４は、離間状態に設けてあるが、この離間間隔は、例えば、狭すぎると、殆ど二点支持状態と同じ状態になってしまい育苗箱２を持ち上げた際に、前後方向のバランスが取りづらく育苗箱２を水平状態に安定して持ち上げることができないが、本考案は、離間間隔を、例えば、育苗箱２の短手側縁部３に引っ掛けた際に、育苗箱２が前後方向に引っ繰り返らないように支持できる間隔に設定することで、育苗箱２を持ち上げた際にも、この育苗箱２が引っ繰り返ったりすることがなく、安定して水平状態を保って、持ち上げたり運搬したりすることができる。
【００２６】
ところで、市販されている一般的な育苗箱２の縁部３は、作業者が手で持てるように（具体的には、指を引っ掛けて持てるように）、周面上端部から外方に向けて水平状態に突出し、更に、先端側を下方に向けて折り返した下方に向けて凹形状となるように形成、内部は空洞になっていて、この空洞部に複数の補強リブ９が架設された構成になっている。
【００２７】
このため、爪部４，７の形状が幅広の帯状に形成されている場合は、この補強リブ９と干渉してしまい、縁部３の爪部４，７を引っ掛けることができずに安定して育苗箱２を持ち上げることができない。
【００２８】
従って、本考案では、この爪部４，７の幅を、例えば、育苗箱２の縁部３裏面側に複数設置されている補強リブ９の設置間隔よりも狭い幅に設定すれば、補強リブ９に干渉することなく容易に育苗箱２の縁部３の裏面側に爪部４，７を確実に引っ掛けることができ、安定して育苗箱２を持ち上げることができることとなる。
【実施例】
【００２９】
本考案の具体的な実施例について図面に基づいて説明する。
【００３０】
本実施例は、基端部に握持部１を設け先端部に育苗箱２の縁部３裏面に引っ掛け係止する二つの爪部４を設けた第一持ち上げ棒体５と、基端部に握持部６を設け先端部に育苗箱２の縁部３裏面に引っ掛け係止する一つの爪部７を設けた第二持ち上げ棒体８とからなる育苗箱持ち上げ具であって、この第一持ち上げ棒体５及び第二持ち上げ棒体８は、少なくとも立直状態の作業者の膝の高さ以上となる長さを有し、第一持ち上げ棒体５の先端部に二つの爪部４を離間状態に設け、第二持ち上げ棒体８の先端部に、第一持ち上げ棒体５の先端部に離間状態に設けた二つの爪部４の間隔よりも狭い幅に設定した一つの爪部７を設けて、育苗箱２の対向する縁部３の一方に、第一持ち上げ棒体５の二つの爪部４を引っ掛け係止し、対向する縁部３の他方の第一持ち上げ棒体５の爪部４間と対向する位置に、第二持ち上げ棒体８の一つの爪部７を引っ掛け係止して、育苗箱２を第一持ち上げ棒体５に設けた二つの爪部４と第二持ち上げ棒体８に設けた一つの爪部７との三点支持で持ち上げるように構成した育苗箱持ち上げ具である。
【００３１】
即ち、本実施例は、図１に示すように、第一持ち上げ棒体５と第二持ち上げ棒体８との二体一組で構成する育苗箱持ち上げ具である。
【００３２】
具体的には、第一持ち上げ棒体５は、金属製の棒状体10の基端部に握持部１を設け、先端部に二股部11を設け、この二股部11の先端部に爪部４を夫々設けた構成としている。
【００３３】
この第一持ち上げ棒体５の長さは、立直状態の作業者が軽く腰を屈ませる程度で容易に育苗箱２に第一持ち上げ棒体５の爪部４を引っ掛け係止することができる長さに設定しており、具体的には、立直状態の作業者が握持部１を把持して手を下げた状態のときに先端部が地面や床面に着く程度の長さに設定し、より具体的には、握持部１上端から先端部に設けた爪部４までの長さを約７０ｃｍに設定している。
【００３４】
即ち、この第一持ち上げ棒体５の長さが長すぎると、育苗箱２に爪部４を引っ掛けた状態で既に作業者の腕が上がった状態となってしまい、育苗箱２を持ち上げる際には、更に腕を高く上げなくてはならなくなってしまうので、作業者の腕に大きな負担が掛かってしまうし、高く上げることも困難となり、また、短すぎると、従来の手で育苗箱２を掴む状態と殆ど変わらず、腰を大きく屈ませたり、しゃがんだりする動作が必要となるので足腰に負担が掛かってしまうので、この第一持ち上げ棒体５の長さ設定は、作業者の身体に負担を掛けずに長時間作業をするためには非常に重要なものであり、本実施例においては、この第一持上げ棒体５の長さを作業者に負担が掛からず容易に育苗箱２を持ち上げることができる最適な長さに設定している。
【００３５】
また、握持部１は、上端部に第一持ち上げ棒体５に設けた爪部４の長手方向と直交する方向に長さを有する握持杆を設けた構成とし、本実施例では、この握持部１の形状を略逆三角形状に形成し、この逆三角形の水平状態に設けられた上端部を握持杆として把持若しくは指を引っ掛けられるように構成している。
【００３６】
また、第一持ち上げ棒体５の先端部には離間状態に配した二つの爪部４を設けいて、具体的には、第一持ち上げ棒体５の先端部に横杆を設け、この横杆の両端部に縦杆を垂設してコ字形状の二股部９を形成し、この二股部９の各先端部、即ち、垂設した夫々の縦杆の先端部に、水平状態に設けた握持部１の上端部に対して直交する方向に向けて爪部４を設けた構成としている。
【００３７】
また、この第一持ち上げ棒体５の先端部に設けた二つの爪部４の離間間隔、即ち、二股部に垂設した縦杆の間隔を、育苗箱２の短手方向幅寸法の１／４〜１／２の範囲に設定している。即ち、二つの爪部４の離間間隔は、狭すぎると育苗箱２の縁部３に引っ掛け係止した際に、両側一点ずつの二点支持の状態と殆ど差がない状態となり、二点支持では育苗箱２を水平状態に保つことが困難であり、育苗箱２が容易に引っ繰り返ってしまうので、この育苗箱２の前後方向の引っ繰り返りを防止する離間間隔が必要であり、また、離間間隔が広い分には、育苗箱２を持ち上げる際には安定度が増し持ち上げ易くなるが、間隔が広すぎると、その分、大きさも大きくなり、持ち運び時や収納時にかさばってしまうので、本実施例においては、一般的な育苗箱２の短手方向幅寸法の約３０ｃｍに対して、第一持上げ棒体５の爪部４の離間間隔を約９ｃｍに設定している。
【００３８】
また、二体一組の他方となる第二持ち上げ棒体８は、上述した第一持ち上げ棒体５と先端部の構成以外は同じ構成としている。
【００３９】
具体的には、金属製の棒状体12の基端部に握持部６を設け、先端部に水平状態に設けた握持部６の上端部に対して直交する方向に向けて一本の爪部７を設けた構成としている。
【００４０】
この第二持ち上げ棒体８の長さは、第一持ち上げ棒体５と同様に、長すぎると育苗箱２を持ち上げる際に腕を高く上げなくてはならず、また、短すぎると腰を大きく屈ませなくてはならず、いずれの場合も作業者に負担が掛かるので、立直状態の作業者が軽く腰を屈ませる程度で容易に育苗箱２に第二持ち上げ棒体８の爪部７を引っ掛け係止することができる長さに設定しており、具体的には、立直状態の作業者が握持部６を把持して手を下げた状態のときに先端部が地面や床面に着く程度の長さに設定し、本実施例においては、第二持ち上げ棒体８の長さは第一持ち上げ棒体５と同じ長さの約７０ｃｍに設定している。
【００４１】
また、握持部６も第一持ち上げ棒体５の握持部１と同様に、上端部に第二持上げ棒体８に設けた爪部７の長手方向と直交する方向に長さを有する握持杆を設けた構成とし、この握持部６の形状を略逆三角形状に形成し、この逆三角形の水平状態に設けられた上端部を握持杆として把持若しくは指を引っ掛けられるように構成している。
【００４２】
また、第二持上げ棒体８の先端部は、第一持上げ棒体５のように二股部９を有しておらず、棒状体13の先端部に一つの爪部７を設けた構成としている。
【００４３】
また、本実施例においては、第一持ち上げ棒体５及び第二持ち上げ棒体８に設ける爪部４，７の形状は、同一形状に構成しており、具体的には以下の通りである。
【００４４】
市販されている一般的な育苗箱２の縁部３は、作業者が手で持てるように、周面上端部から外方に向けて水平に突出し、この水平に突出した状態の先端側を下方に向けて折り返して下方に向けて凹形状となるように形成され、内部は空洞になっていて、この空洞部に複数の補強リブ９を並設した構成になっている。この補強リブ９は、メーカによって設置間隔や設置数は様々な設定となっている。
【００４５】
従って、この育苗箱２の縁部３に引っ掛け係止する爪部４，７は、この補強リブ９と干渉しないように引っ掛け係止することができる形状にしなければならず、本実施例においては、この爪部４，７の幅を、育苗箱２の縁部３裏面側に複数並設されている補強リブ10の並設間隔よりも狭い幅に設定し、具体的には、この爪部４，７の形状を人の指爪程度の幅に形成し、先端側を先細り形状に形成し、更に、この先細りに形成した先端部を折曲し、先端部を上方に持ち上げた鉤状に形成している。
【００４６】
従って、縁部３に架設されている補強リブ９の並設間隔が広い育苗箱２の場合は、爪部４，７を基端側まで挿入した状態で引っ掛け係止することができ、また、補強リブ９の並設間隔が狭い育苗箱２の場合は、先細りに形成した先端部の挿入が可能となり、いずれの場合においても確実に縁部３の裏面側から爪部４，７を引っ掛け係止することができる。
【００４７】
即ち、例えば、爪部４，７を帯状に形成した場合は、この爪部４，７を縁部３に引っ掛けようとした際に、補強リブ９と干渉してしまい、縁部３に引っ掛けることができずに、育苗箱２を持ち上げた際に、爪部４，７が縁部３から外れてしまう可能性があるが、本実施例に示す爪部４，７の構成によって、このような可能性は殆どなく、安定した状態で育苗箱２を持ち上げ運搬することができる構成としている。
【００４８】
本実施例は上述のように構成したので、作用効果は以下のようになる。
【００４９】
例えば、地面や床面に置いてある育苗箱２を持ち上げ運搬する際は、第一持ち上げ棒体５の握持部１を一方の手で握り、第二持ち上げ棒体８の握持部６を他方の手で握って、第一持ち上げ棒体５と第二持ち上げ棒体８との夫々の先端部を下方側に向けて持ち、第一持ち上げ棒体５の先端部に離間状態に配した二つの爪部４を育苗箱２の対向状態に設けられている一方の縁部３の短手方向中心となる位置の下側（裏面側）に配し、この縁部３の裏面側（内側）に架設された補強リブ９を避けるようにして、第一持ち上げ棒体５を上方に持ち上げて爪部４を縁部３の裏面側に引っ掛け、第二持ち上げ棒体８の先端部に設けた一つの爪部７を他方の縁部３の短手方向中心となる位置の下側（裏面側）に配し、若しくは一方の縁部３に引っ掛けた第一持ち上げ棒体５の二本の爪部４間となる位置の下側（裏面側）に配し、この縁部３の裏面側（内側）に架設された補強リブ９を避けるようにして、第二持ち上げ棒体８を上方に持ち上げて爪部７を縁部３の裏面側に引っ掛けて、両腕を上方に上げることで容易に育苗箱２を持ち上げることができることとなる。
【００５０】
この際、第一持ち上げ棒体５の二本の爪部４と、第二持ち上げ棒体８の爪部７との三点支持となり、第一持ち上げ棒体５の二本の爪部４が育苗箱２の前後方向への転倒を防いでいるので、育苗箱２を上方に持ち上げた際に、この育苗箱２が前後方向に引っ繰り返ったりすることもなく安定して持ち上げることができる。
【００５１】
従って、例えば、ビニールハウス内の地面に多数敷設されている育苗箱２を圃場へ移動させるために、従来は、一々腰を大きく（深く）屈ませたり、しゃがんだりして育苗箱２の縁部３を掴み、この育苗箱２の縁部３を掴み持った状態で屈ませた身体を起こしたり、曲げた膝を伸ばして立ち上がったりする動作を何度も繰り返す作業であったので、作業者の足腰に掛かる負担が非常に大きく、とても厄介な作業であったが、本実施例を用いることによって、このような足腰に負担を掛ける動作をすることなく、容易に育苗箱２を持ち上げ運搬できることとなる。
【００５２】
例えば、図６，図７に示すように、一人の作業者が本実施例を用いて地面若しくは床面に置いてある育苗箱２を持ち上げて、一旦、中継台上に育苗箱２を移動させる。この移動した育苗箱２を別の作業者が手で持ち上げてトラックや一輪車などの運搬手段まで持ち運ぶことで、何れの作業者も大きく腰を屈ませたり、しゃがんだりすることなく育苗箱２の持ち上げ運搬することができ、従って、作業者の足腰にはあまり負担が掛からないので効率良く作業を行うことができる実用性に優れた育苗箱持ち上げ具となる。
【００５３】
また、出願人は、図８に示すような集積作業装置13を提案している（特開２００７−３９２４３号）。この集積作業装置13と本実施例とを組み合わせて使用することで、更に、効率良く育苗箱２を運搬手段に載置することができるので、より一層作業者への負担を軽減することができるものとなる。
【００５４】
尚、本考案は、本実施例に限られるものではなく、各構成要件の具体的構成は適宜設計し得るものである。
【符号の説明】
【００５５】
１  握持部
２  育苗箱
３  縁部
４  爪部
５  第一持ち上げ棒体
６  握持部
７  爪部
８  第二持ち上げ棒体
９  補強リブ
10  棒状体
11  二股部
【図１】
0003160619.tif 000003
【図２】
0003160619.tif 000004
【図３】
0003160619.tif 000005
【図４】
0003160619.tif 000006
【図５】
0003160619.tif 000007
【図６】
0003160619.tif 000008
【図７】
0003160619.tif 000009
【図８】
0003160619.tif 000010
【図９】
0003160619.tif 000011